(57)【特許請求の範囲】
【請求項１】
水栓に接続されているシャワヘッドが着脱自在に装着される入口およびシャワ散水口を備えたシャワ台を壁に設けてなるシャワ台における散水機構であって、シャワ台は、前記入口から前記シャワ散水口に至る流路を有するとともに、前記入口を開閉するための弁体および弁座を有し、更に、シャワヘッドを前記入口に装着したときに前記入口が開いて前記流路とシャワヘッドの流路とを連通させるように構成してあることを特徴とするシャワ台における散水機構。
【請求項２】
水栓に接続されているシャワヘッドが着脱自在に装着される入口およびシャワ散水口を備えて壁に設けられ、前記入口から前記シャワ散水口に至る流路とを有するとともに、前記入口を開閉するための弁体および弁座を有するシャワ台から前記シャワ散水口を介して散水するにあたり、シャワヘッドを前記入口に装着したときに前記入口が開いて前記流路とシャワヘッドの流路とが連通し、水栓を吐水状態にしながら前記シャワ散水口とシャワヘッドのシャワ散水口の両方から同時に散水させることを特徴とするシャワ台における散水方法。
【発明の詳細な説明】
【０００１】
【発明の属する技術分野】
この発明は、シャワ台における散水機構およびその散水方法に関するものである。
【０００２】
【従来の技術】
本出願人は、例えば浴室の壁に、水栓本体と、この水栓本体に接続されている複数のシャワヘッドや吐水管を備えたシャワ台とを設けてなり、水栓本体に設けた吐水・止水ならびに流量調整用のハンドルを吐水状態になるよう操作することによって、シャワ台から散水・吐水が行えるように構成されたものを開発中である。
【０００３】
【発明が解決しようとする課題】
そして、それは、水栓本体を吐水状態にし、水栓本体に設けたもう一つのハンドルを操作することによって前記複数のシャワヘッドや吐水管のいずれか一つから散水あるいは吐水するというものである。
【０００４】
この発明は、シャワ台に設けたシャワ散水口と、水栓に接続されているシャワヘッドのシャワ散水口の両方から同時に散水させることができるシャワ台における散水機構およびその散水方法を提供することを目的とする。
【０００５】
【課題を解決するための手段】
上記目的を達成するために、この発明は、水栓に接続されているシャワヘッドが着脱自在に装着される入口およびシャワ散水口を備えたシャワ台を壁に設けてなるシャワ台における散水機構であって、シャワ台は、前記入口から前記シャワ散水口に至る流路を有するとともに、前記入口を開閉するための弁体および弁座を有し、更に、シャワヘッドを前記入口に装着したときに前記入口が開いて前記流路とシャワヘッドの流路とを連通させるように構成してある。
【０００６】
また、この発明は別の観点から、水栓に接続されているシャワヘッドが着脱自在に装着される入口およびシャワ散水口を備えて壁に設けられ、前記入口から前記シャワ散水口に至る流路とを有するとともに、前記入口を開閉するための弁体および弁座を有するシャワ台から前記シャワ散水口を介して散水するにあたり、シャワヘッドを前記入口に装着したときに前記入口が開いて前記流路とシャワヘッドの流路とが連通し、水栓を吐水状態にしながら前記シャワ散水口とシャワヘッドのシャワ散水口の両方から同時に散水させることを特徴とするシャワ台における散水方法を提供する。
【０００７】
【発明の実施の形態】
以下にこの発明の実施の形態について説明する。なお、この発明はそれによって限定されるものではない。
【０００８】
図１〜図３は、この発明の一実施形態を示す。
【０００９】
図１〜図３において、１は、シャワヘッドで、浴室Ａの壁Ｗに設けたシャワヘッドホルダ（図示せず）に保持されるアダプタ部分２に対して手前側に所定角度αだけ傾斜するように構成されている。３は、シャワホースである。このシャワホース３の下流端３ｂにはアダプタ部分２が接続されている。また、シャワホース３の上流端３ａは、壁Ｗに設けた湯水混合水栓Ｂの水栓本体４のシャワ用湯水取り出し口４ａに接続されている。シャワ用湯水取り出し口４ａは、水栓本体４の背面側に設けられている。５は、吐水管で、水栓本体４の下面側に形成された吐水管用湯水取り出し口（図示せず）に接続されている。また、水栓本体４は、壁Ｗの背面側に位置する湯配管の導入口に連通する湯側クランク６と、壁Ｗの背面側に位置する水配管の導入口に連通する水側クランク７とを介して壁Ｗに支持されている。８は、混合される湯水の温度調整を行うための温度調整用ハンドルで、水栓本体４の一端に設けられている。９は、水栓本体４内に形成される湯水混合室からシャワホース３の側と吐水管５の側とに水または湯水の吐水流路を切り換えるための流路切換ハンドルで、操作し易いように水栓本体４の前面側に設けられている。１０は、吐水・止水ならびに流量調整用のハンドルで、水栓本体４の上面側に設けられている。
【００１０】
シャワヘッド１は、合成樹脂よりなる筒状のヘッド本体１１と、合成樹脂製のシャワ板１２とより主としてなる。ヘッド本体１１は、シャワホース３に連通する通水孔１３を内部に有し、この通水孔１３によって通水流路が形成されている。
【００１１】
また、前記ヘッド本体１１は、上筒部１４と、この上筒部１４に連設する下筒部１５とより主としてなる。
【００１２】
上筒部１４は、大きな内径を有する径部分１４ａと、この径部分１４ａの内径よりも小さな内径を有する径部分１４ｂとを、下流側から上流側に向かって順次有する。１６は、前記両部分１４ａ，１４ｂによって形成される出口孔である。すなわち、この出口孔１６は、通水孔１３の一部であり、ヘッド本体１１の最下流端に位置する。そして、出口孔１６内には後述する弁体３３、リング状の弁座３４および弁体３３を常時弁座３４の側に付勢するばね部材３５をこの順で収容する略筒状の弁収容部材１７が挿入され、挿入された弁収容部材１７が径部分１４ｂの内周に形成されている内ねじに螺合して上筒部１４内に固定される。
【００１３】
また、前記シャワ板１２は下筒部１５の最下流端の一部とこれに連設する径部分１４ｂの一部を切り欠いて形成した切欠きＳに装着されている。１２ａは、シャワ板１２をねじ止めにより下筒部１５に固定するための固定ねじ、１２ｂは、シャワ板１２の上端側をシールするシール部材である。
【００１４】
また、下筒部１５の最上流端には、シャワホース３の前記アダプタ部分２に接続するエルボが形成されており、これにより、前記シャワヘッドホルダに保持された状態のシャワヘッド１がアダプタ部分２に対して手前側に所定角度αだけ傾斜可能になっている。
【００１５】
更に、前記シャワ板１２は、平面視円弧状に湾曲された形状の前面部Ｇを有する。この前面部Ｇは、多数個の散水口ｈを有する。
【００１６】
以下、この発明の特徴的構成について説明する。
【００１７】
２０は、箱状のシャワ台で、合成樹脂よりなる。シャワ台２０は、平面視円弧状に湾曲された形状の前面板ｇ、平坦な上面板ｇ’および平坦な下面板ｇ’’よりなる表面部２１と、平坦な裏面板２２とより主として構成される。前面板ｇには、多数のシャワ散水口Ｈを有する複数のシャワ板２３ａ，２３ｂ，２３ｃ，２４ｄを正面視で田の字型に配置してある。
【００１８】
更に、表面部２１は、上下方向に沿ってヘッド本体１１およびシャワ板１２が挿入可能に案内される平面視半円形の案内溝２７を中央部分に有する。この案内溝２７は、少なくともヘッド本体１１の上筒部１４とシャワ板１２が挿入可能な大きさと上下方向の長さＺを有する。案内溝２７の上下方向の長さＺは、シャワ台２０の下面板ｇ’’の下面から、上方向に延び、シャワ台２０の上面板ｇ’の上面位置よりも長さＬだけ下方の位置に至る長さに設定されている。また、シャワ板２３ａ，２３ｂは、シャワ台２０を正面からみて案内溝２７の右側で上下に位置するよう設けられており、一方、シャワ板２３ｃ，２３ｄは、シャワ台２０を正面からみて案内溝２７の左側で上下に位置するよう設けられている。
【００１９】
そして、シャワ台２０は、例えば吸着板（図示せず）などの固定手段を用い、裏面板２２を介して水栓本体４と同じ壁Ｗで、かつ、水栓本体４よりも高い位置に取り付けられている。更に、シャワ台２０は、例えば大人が起立して前面板ｇに向かい合ったときにシャワ散水口Ｈからの散水が顔、胸、背中に向かうような高さに取り付けられている。
【００２０】
以下、上筒部１４と弁収容部材１７の構成について更に詳述する。
【００２１】
弁収容部材１７は、外ねじＭを有する下側径部分１７ａと、この径部分１７ａよりも小さな外径を有する上側径部分１７ｂよりなる。一方、上筒部１４は、外ねじＭに螺合する内ねじＮを径部分１４ｂに有する。そして、上筒部１４は、弁収容部材１７を上筒部１４内においてねじ止めしたときに弁収容部材１７の下面に当接して弁収容部材１７を支持するための環状の受け３０を有する。また、この受け３０は、前記弁体３３を常時弁座３４の側に付勢するばね部材３５を支持する機能も有する。この支持状態では、受け３０は、ばね部材３５の一端に当接している。
【００２２】
前記リング状の弁座３４は、外周に外ねじｍを有する一方、弁収容部材１７は、弁座３４が位置する前記上側径部分１７ｂに外ねじｍに螺合する内ねじｎを有する。１７ｃは、弁収容部材１７を貫通する貫通孔である。
【００２３】
また、前記弁体３３は、ばね部材３５の他端に当接する筒状の胴部３３ａと、この胴部３３ａから連設され胴部３３ａよりも小径で縦断面山形の先端突出部３３ｂとよりなる。また、胴部３３ａは、先端突出部３３ｂとの連設部分である上周面部に周方向に沿って形成された複数の連通孔３７を有する。
【００２４】
更に、上筒部１４は、上端面ｔから外周面の下方にわたり形成された一対のＬ字形の係止溝４０，４０を有する。各係止溝４０は、大きな内径の径部分１４ａから小さな内径の径部分１４ｂにまたがった状態でそれらの外周面に形成されている。係止溝４０は、縦溝４１と横溝４２とよりなり、横溝４２の長さよりも縦溝４１の長さの方が長く設定されている。そして、縦溝４１，４１同士および横溝４２，４２同士はそれぞれ１８０°の間隔で位置するよう形成されている。
【００２５】
次に、シャワヘッド１が着脱自在に装着される入口５０の構成について説明する。
【００２６】
５１は、シャワヘッド１を上筒部１４の側から案内溝２７に挿通したときに上筒部１４の上端面ｔに当接し、シャワヘッド１の挿入位置を規制するための当接面である。この当接面５１は、シャワ台２０を構成する表面部２１の前面板ｇの中央に設けた膨出部分５２の下面を構成している。
【００２７】
５３は、弁収容部材１７の上側径部分１７ｂが嵌込み（内嵌）可能な大きさの筒部分で、膨出部分５２および前面板ｇの内側部分５５に連設して形成されている。
【００２８】
そして、この筒部分５３は、筒状の突出部分５６を内部に同心円状に有する。この突出部分５６は、当接面５１に上端面ｔが当接したときに、弁体３３の胴部３３ａの先端が当接し、かつ、ばね部材３５の付勢力に抗して弁体３３を弁座３４から下方側に後退させて離間させるためのものであり、前記内側部分５５に固定状態で連設して形成されている。
【００２９】
更に、５７は、突出部分５６の直下流側に突出部分５６に連設して形成されている薄い円板状の導入部分５７である。この導入部分５７は、突出部分５６と同軸に設けられており、導入部分５７は軸心まわりに、上流側の貫通孔１７ｃと下流側のシャワ散水口Ｈに至る連通流路とを連通するための複数の導入孔５８を有する。そして、導入部分５７は、筒部分５３内にねじ込まれて固定される。９０は、導入部分５７の外周面に形成された外ねじ、９１は、筒部分５３の内周面に形成され、外ねじ９０に螺合する内ねじである。
【００３０】
すなわち、前記連通流路は、導入部分５７に形成した導入孔５８を通る導入流路ｉと、この導入流路ｉの下流で分岐して、シャワ板２３ａのシャワ散水口Ｈおよびこのシャワ板２３ａの下流に位置するシャワ板２３ｂのシャワ散水口Ｈに至る分岐流路ｉ1 と、シャワ板２３ｃのシャワ散水口Ｈおよびこのシャワ板２３ｃの下流に位置するシャワ板２３ｄのシャワ散水口Ｈに至る分岐流路ｉ2 とよりなる。つまり、この実施形態では、シャワ台２０は、導入流路ｉから分岐してシャワ板２３ａおよび２３ｂのシャワ散水口Ｈに至る分岐流路ｉ1 と、導入流路ｉから分岐してシャワ板２３ｃおよび２３ｄのシャワ散水口Ｈに至る分岐流路ｉ2 を内部に有する。
【００３１】
そして、前記筒部分５３、突出部分５６および導入部分５７によって、湯水混合水栓Ｂに接続されているシャワヘッド１が着脱自在に装着される入口５０が構成されている。
【００３２】
以下、シール部材について説明する。
【００３３】
７０は、突出部分５６の上流側における内周面に形成された環状溝７１に嵌込まれ、弁収容部材１７の上側径部分１７ｂと突出部分５６間をシールするシール部材である。７２は、弁収容部材１７の下側径部分１７ａの上流端における外端面に形成された環状溝７３に嵌込まれ、弁収容部材１７の下側径部分１７ａと受け３０間をシールするシール部材である。７５は、弁体３３の先端突出部３３ｂの上流側における外周面に形成された環状溝７６に嵌込まれ、弁座３４に弁体３３の先端突出部３３ｂが当たって前記入口が閉じているときに、先端突出部３３ｂと弁座３４間をシールするシール部材である。８０は、突出部分５６および導入部分５７よりなる部材を筒部分５３内に挿入してねじ止めした後、筒部分５３内に挿入されるシール部材で、弁収容部材１７の上側径部分１７ｂと導入部分５７間をシールする。８１は、弁収容部材１７の下側径部分１７ｂの下流端面と上筒部１４の径部分１４ｂの内側下流端面とにまたがり載置され、下側径部分１７ｂおよび径部分１４ｂと筒部分５３間をシールするシール部材である。
【００３４】
９９，９９は、係止溝４０，４０に嵌込まれ、それによって、シャワヘッド１を前記入口５０に装着するための一対の突起で、案内溝２７の内周面において径部分１４ｂに対応する位置に１８０°の間隔を有して形成されている。装着動作は、まず、縦溝４１に突起９９を嵌込み、次に、シャワヘッド１をＲ方向に回動させて突起９９を横溝４２に嵌込むことで完了する。
【００３５】
而して、筒部分５３内に、突出部分５６を有する導入部分５７をねじ込み、続いて、シール部材８０を嵌込むことでシャワ台２０の前記入口５０が容易に形成できる。
【００３６】
一方、シャワヘッド１の出口孔１６内に弁収容部材１７を挿入した後ねじ込み、続いて、弁収容部材１７内、つまり、貫通孔１７ｃ内に、ばね部材３５、弁体３３および弁座３４をこの順で挿入し、更に、弁座３４を弁収容部材１７内にねじ込むことにより、シャワヘッド１を前記入口５０に装着したときに前記入口５０が開いて前記連通流路ｉ，ｉ1 ，ｉ2 とシャワヘッド１の通水孔１３とを連通させる機構が得られる。
【００３７】
よって、湯水混合水栓Ｂを吐水状態にしながらシャワ台２０に設けたシャワ散水口Ｈと、湯水混合水栓Ｂに接続されているシャワヘッド１のシャワ散水口ｈの両方から同時に散水させることができる。
【００３８】
【発明の効果】
以上説明したようにこの発明では、シャワ台に設けたシャワ散水口と、水栓に接続されているシャワヘッドのシャワ散水口の両方から同時に散水させることができるシャワ台における散水機構およびその散水方法を提供することができる。
【図面の簡単な説明】
【図１】この発明の一実施形態における使用状態を示す全体斜視図である。
【図２】上記実施形態を示す要部分解斜視図である。
【図３】上記実施形態においてシャワヘッドを入口に装着したときの状態を示す構成説明図である。
【符号の説明】
１…シャワヘッド、２０…シャワ台、３３…弁体、３４…弁座、５０…入口、５６…突出部分、５７…導入部分、５８…導入孔、Ｂ…水栓、Ｈ…シャワ散水口、Ｗ…壁、ｉ，ｉ1 ，ｉ2 …流路。
【図１】
0003889972.tif 000002
【図２】
0003889972.tif 000003
【図３】
0003889972.tif 000004